(57)【要約】【課題】地震の判定精度が向上した時計を提供する。【解決手段】時計１は、振動及び姿勢に応じてオン、オフが切り替わる振動センサ４０と、振動センサ４０が出力する信号の切り替わりに基づいて地震の発生の有無を判定する制御部１００と、地震が発生したと制御部１００が判断した場合に地震の発生を報知するＬＥＤ５０と、を備え、制御部１００は、振動センサ４０がオンからオフへ切り替わって所定期間継続してオフを検出した場合には、振動センサ４０が振動していない安定状態での状態をオフ状態に設定し、オフからオンへ切り替わって所定期間継続してオンを検出した場合には、振動センサ４０が安定状態での状態をオン状態に設定する。【選択図】図１０
2011080786.tif 000002
【特許請求の範囲】
【請求項１】
振動及び姿勢に応じて第１及び第２信号を択一的に出力する振動センサと、
前記振動センサが出力する信号の切り替わりに基づいて地震の発生の有無を判定する制御部と、
地震が発生したと前記制御部が判断した場合に地震の発生を報知する報知部と、を備え、
前記制御部は、前記第１信号から前記第２信号へ切り替わって所定期間継続して前記第２信号を検出した場合には、前記振動センサが振動していない安定状態で出力されるであろう信号を前記第２信号に設定し、
前記第２信号から前記第１信号へ切り替わって所定期間継続して前記第１信号を検出した場合には、前記振動センサが前記安定状態で出力されるであろう信号を前記第１信号に設定する、時計。
【請求項２】
前記制御部は、前記振動センサが出力する信号の切り替わりを検出した後所定期間内に再び信号の切り替わりを検出した場合に地震が発生していると判定する、請求項１の時計。
【請求項３】
前記制御部は、前記振動センサを間欠的に通電し、
前記振動センサは、前記通電に応じて前記第１又は第２信号を出力する、請求項１又は２の時計。
【請求項４】
前記振動センサは、ケースと、前記ケース内に振動可能に収容された感振体と、前記感振体の振動に応じて出力する信号が切り替わるスイッチと、を含む、請求項１乃至３の何れかの時計。
【請求項５】
前記ケースは、前記感振体を支持し前記感振体側が凹状となる錐面を有した支持部を含み、
前記スイッチは、前記錐面の中心に設けられ前記感振体の振動に応じて操作される操作体と、前記操作体への操作に応じて離接する一対の導通片と、を含み、
前記振動センサは、前記錐面の中心軸が鉛直方向に対して傾いた状態で設置されている、請求項４の時計。
【請求項６】
前記第１信号はオン信号であり、
前記第２信号はオフ信号である、請求項１乃至５の何れかの時計。
【発明の詳細な説明】
【技術分野】
【０００１】
本発明は、振動センサを備えた時計に関する。
【背景技術】
【０００２】
特許文献１には、地震報知機能付きの時計が開示されている。このような時計には、振動を検出する振動センサが設けられている。
【先行技術文献】
【特許文献】
【０００３】
【特許文献１】特開平１０−１９７６６６号公報
【発明の概要】
【発明が解決しようとする課題】
【０００４】
このような振動センサは、振動及び姿勢に応じて出力する信号が切り替わるものがある。従って、時計の設置姿勢によっては、振動センサの出力が変化する場合がある。例えば、置時計では、常に水平面に設置されるとは限らない。壁掛け時計においては、常に鉛直姿勢で時計が壁に掛けられるとは限らない。このような場合には、地震が発生していないにもかかわらず、地震が発生した場合に出力する信号と同じ信号を振動センサが出力する恐れがある。即ち、時計の設置の仕方によっては、地震が発生していると誤判定するおそれがある。
【０００５】
そこで本発明は、地震の判定精度が向上した時計を提供することを目的とする。
【課題を解決するための手段】
【０００６】
上記目的は、振動及び姿勢に応じて第１及び第２信号を択一的に出力する振動センサと、前記振動センサが出力する信号の切り替わりに基づいて地震の発生の有無を判定する制御部と、地震が発生したと前記制御部が判断した場合に地震の発生を報知する報知部と、を備え、前記制御部は、前記第１信号から前記第２信号へ切り替わって所定期間継続して前記第２信号を検出した場合には、前記振動センサが振動していない安定状態で出力されるであろう信号を前記第２信号に設定し、前記第２信号から前記第１信号へ切り替わって所定期間継続して前記第１信号を検出した場合には、前記振動センサが前記安定状態で出力されるであろう信号を前記第１信号に設定する、時計によって達成できる。
【発明の効果】
【０００７】
地震の判定精度が向上した時計を提供できる。
【図面の簡単な説明】
【０００８】
【図１】図１は、時計の正面図。
【図２】図２は、時計の断面図。
【図３】図３は、時計の機能ブロック図。
【図４】図４は、振動センサの説明図。
【図５】図５は、振動センサの振動試験の結果を示した表。
【図６】図６は、制御部が実行する振動検出処理の一例を示したフローチャート。
【図７】図７Ａ、７Ｂは、地震発生時の振動センサの状態及び出力のタイミングチャート。
【図８】図８Ａ、８Ｂは、地震は発生していないと判定される場合の振動センサの状態のタイミングチャート。
【図９】図９Ａ、９Ｂは、地震は発生していないと判定される場合の振動センサの状態のタイミングチャート。
【図１０】図１０は、制御部が実行する安定位置検出処理の一例を示したフローチャート。
【図１１】図１１は、安定位置検出処理実行時での振動センサの状態のタイミングチャート。
【発明を実施するための形態】
【０００９】
以下、実施例にかかる時計について説明する。図１は、時計１の正面図、図２は、図１における時計１をＡ−Ａ線に沿って断面にした断面図の上部を拡大した図である。時計１は、壁掛け時計であるが、これに限定されず、置き時計であってもよい。
【００１０】
図１および図２に示すように、時計１は、筐体２１、筐体２１の正面側に設けられた秒針１１、分針１２、時針１３、筐体２１の正面側に配置された透明パネル２３などを含む。図２に示すように、筐体２１内には、秒針１１、分針１２、時針１３を駆動するためのムーブメント３０、振動を検出する振動センサ４０が設けられている。
【００１１】
振動センサ４０は、図２に示すように傾斜した取付板２４により支持されている。振動センサ４０は、傾斜した姿勢で設置されている。また、筐体２１の正面側上方には、ＬＥＤ５０が設置されている。ＬＥＤ５０は、秒針１１、分針１２、時針１３に向けて光を照射可能に設置されている。ＬＥＤ５０は、地震の発生に応じて点灯する。ＬＥＤ５０の点灯により、地震の発生をユーザに報知することができる。また、ＬＥＤ５０が秒針１１、分針１２、時針１３に光を照射することにより、ユーザは暗い室内でも地震発生時刻を視認できる。また、ＬＥＤ５０は、点灯することで暗い室内を照明してユーザに安心感を与えるとともに、床に散らばる障害物や危険物の有無をユーザが視認することを可能ならしめる役割を持つ。図２に示すように、時計１は例えば壁に打ち込まれたねじ９８に掛けられている。
【００１２】
図３は、時計１の機能ブロック図である。時計１は、制御部１００、時計制御部１１０を有している。制御部１００は、振動センサ４０やＬＥＤ５０の駆動を制御する。時計制御部１１０は、ムーブメント３０の駆動を制御する。第１電源部８２は、制御部１００及び時計制御部１１０に電力を供給する。制御部１００、時計制御部１１０は、それぞれＣＰＵ、ＲＡＭ、ＲＯＭを備えている。第２電源部８４は、ＬＥＤ５０に電力を供給する。第１電源部８２は、３．０Ｖの電圧を有している。第２電源部８４は、４．５Ｖの電圧を有している。第１電源部８２、第２電源部８４は、時計１に内蔵されたバッテリーにより実現される。
【００１３】
図４Ａ、４Ｂは、振動センサ４０の説明図である。
振動センサ４０は、振動及び姿勢に応じて第１及び第２信号を択一的に出力する。振動センサ４０は、ケース４１と、ケース４１内に振動可能に収容された感振体４５と、感振体４５の振動に応じて出力する信号が切り替わるスイッチ４７と、を含む。ケース４１は、合成樹脂製である。感振体４５は、略球状であり金属製である。
【００１４】
ケース４１は、感振体４５を支持し感振体４５側が凹状となる錐面を有した支持部４３を含む。支持部４３の錐面は、詳細には円錐面であるが、角錐面であってもよい。
【００１５】
スイッチ４７は、支持部４３の錐面の中心に設けられ感振体４５の振動に応じて操作される操作体４８と、操作体４８への操作に応じて離接する一対の導通片４９ａ、４９ｂと、を含む。支持部４３は、感振体４５を収容する空間と、スイッチ４７を収容する空間とを仕切っている。支持部４３の錐面の中心には、孔４４が形成されている。操作体４８はピン状である。操作体４８は、合成樹脂製である。操作体４８の上端部は孔４４を介して感振体４５を収容する空間側に突出している。操作体４８の下端部は、導通片４９ａに当接している。導通片４９ａは、孔４４を上方へ付勢する板バネとしての機能を有する。導通片４９ａ、４９ｂは導通可能な金属製である。
【００１６】
図４Ａ、４Ｂは図２における振動センサ４０周辺を拡大した図である。図４Ａ，４Ｂに示すように、振動センサ４０は、水平面ＰＳに対して所定の角度α傾斜した取付面ＡＳに設置されている。換言すれば、支持部４３の錐面の中心軸ＡＸが鉛直方向に対して所定の角度αだけ傾いた状態で設置されている。尚、図４Ａ，４Ｂ、時計１を鉛直姿勢で壁に設置した場合での振動センサ４０の状態を示している。なお、本実施例における所定の角度αは５°である。
【００１７】
図４Ａ、４Ｂにおいて図面左側は時計前側（正面側）、図面右側は時計背後側、図面奥側を時計左側、図面手前側を時計右側とする。また、水平面ＰＳに対する時計前後方向の傾きをα、左右方向の傾きをβとする（不図示）。
【００１８】
従って、図４Ａ、４Ｂにおける所定の角度αとは時計の前後方向の傾きを指す。また、図示はしないが時計の左右方向の傾きがβとなる。
【００１９】
図４Ａは、スイッチ４７がオンの状態を示している。感振体４５により操作体４８が下方に押されて導通片４９ａ、４９ｂが導通している。制御部１００は、導通片４９ａを間欠的に通電して、導通片４９ｂからの出力を検出する。制御部１００が、導通片４９ａを通電して導通片４９ｂから信号を検出した場合には、導通片４９ａ、４９ｂは接触していると判定する。このようにして、制御部１００は振動センサ４０がオンの状態であることを検出できる。
【００２０】
図４Ｂは、スイッチ４７がオフの状態を示している。感振体４５が操作体４８から退避することにより、導通片４９ａは、操作体４８を上方に押上げて導通片４９ｂから離間する。導通片４９ａ、４９ｂが離間した状態で制御部１００が導通片４９ａを通電した場合、導通片４９ｂからは出力を検出することはできない。これにより、制御部１００は、導通片４９ａ、４９ｂが離間していると判定できる。このようにして、制御部１００は振動センサ４０がオフの状態であることを検出できる。
【００２１】
従って、制御部１００からの通電に応じて、振動センサ４０はオン、オフの信号を制御部１００へと出力していることになる。振動センサ４０がオンであることを示す信号が第１信号に相当し、振動センサ４０がオフであることを示す信号が第２信号に相当する。詳しくは後述するが制御部１００は、振動センサ４０からの信号の切り替わりに基づいて地震の発生の有無を判定する。
【００２２】
振動センサ４０がこのように傾斜姿勢で設置されている理由について説明する。図５は、振動センサ４０の振動試験の結果を示した表である。振動センサ４０を所定条件下で振動させて、オン状態にある振動センサ４０がオフ状態に切り替わった際の震度を測定した。なお、図５中の数字（３、４、５弱）とは気象庁による震度階級を指す。また、αとは上述したように時計の前後方向の傾きを指す。同様にβは時計の左右方向の傾きを指す。
【００２３】
時計１を壁に掛けた状態で壁を振動させることにより振動試験を行なった。振動センサ４０の取付角度を、α、βともに０度の場合と、α、βの角度をそれぞれ変化させた場合（３°、５°、７°）とで試験を行なった。角度αがプラスの場合には振動センサ４０が時計１の正面側に向けて傾斜した場合を意味する。角度αがマイナスの場合には振動センサ４０が時計１の背面側に向けて傾斜した場合を意味する。角度βが０度以外の場合は、振動センサ４０が時計１の側面側に向けて傾斜した場合を意味する。なお、本実施例ではβがプラスの場合時計１が正面側から見て右上がりに傾斜していることを意味する。
【００２４】
時計１が鉛直姿勢（正姿勢０度）で壁に掛けられた場合と、時計１が１．５度前方に傾斜した姿勢で壁に掛けられた場合とで試験を行なった。時計１が１．５度前方に傾斜した姿勢で試験を行なったのは次の理由による。一般的に壁掛け時計は、壁に打ち込まれた釘などに引っ掛けることにより壁に掛けられる。このため、時計正面側の上部が前方に突出した傾斜姿勢で壁に掛けられている場合が考えられるからである。
【００２５】
振動方法は、固定振動とランダム振動で行なった。固定振動とは、水平方向にのみ壁を振動させた場合である。ランダム振動とは、水平方向及び鉛直方向に壁を振動させた場合である。
【００２６】
図５に示すように、振動センサ４０の取付角度が前方に５度傾斜した場合には、いずれの条件下での振動においても、震度３で、振動センサ４０はオンからオフに切り替わった。このように、振動センサ４０の取付角度が前方に５度傾斜した場合には、取付角度が他の何れの傾斜角度の場合よりも、小さい震度でオンからオフに切り替わった。以上のように、本実施例で使用した振動センサ４０に関する限り、取付角度を前方側に５度傾斜させることにより、振動センサ４０が振動をより感知しやすくできることがわかった。
【００２７】
次に、制御部１００が実行する振動検出処理について説明する。
図６は、制御部１００が実行する振動検出処理の一例を示したフローチャートである。図７Ａ、７Ｂは、地震発生時の振動センサ４０の状態及び振動センサ４０の出力のタイミングチャートである。尚、図７Ｂにおいて、センサへの出力Ｈは、導通片４９ａに電力を通電しない状態を示しており、センサへの出力Ｌは、導通片４９ａに電力を通電した状態を示す。尚、以下に説明する振動検出処理においては、制御部１００は、振動センサ４０に振動が発生していない安定状態でオンになると設定している。
【００２８】
制御部１００は、定期スキャンを行なう（ステップＳ０）。詳細には、制御部１００は、３０ｍｓ（ミリ秒）周期で２ｍｓ待機後、振動センサ４０の出力を検出する（ｔ１）。換言すれば、制御部１００は、間欠的に導通片４９ａを通電し、通電した際に導通片４９ｂからの出力を検出する。このように制御部１００は振動センサ４０を間欠的に通電し、振動センサ４０は通電に応じて制御部１００に電力を出力する。これにより、常時振動センサ４０を通電する場合と比較し消費電力を抑えることができる。
【００２９】
制御部１００は、振動センサ４０がオンからオフの切り替えられたか否かを判定する（ステップＳ１１）。振動センサ４０がオンからオフに切り替わった場合には、振動が生じているものと考えられるからである。否定判定の場合には制御部１００はステップＳ１１を再度実行する。振動センサ４０がオフであることを検出した場合（ｔ２）、制御部１００は振動センサ４０を常時駆動させ（ｔ４）、振動センサ４０からの出力をスキャンする（ステップＳ１２）。尚、制御部１００は、スキャン中は１０ｍｓ未満のオフ状態は無視する（ｔ３）。これにより周期の短い振動に基づいて地震が発生したのと誤判定を防止できる。
【００３０】
次に制御部１００は、１０ｍｓ以上のオフを検出したか否かを判定する（ステップＳ１３）。否定判定の場合には、制御部１００は、振動センサ４０の最初のオフを検出してから８ｓ（秒）経過するまでステップＳ１３を実行する（ステップＳ１４）。８ｓを経過すると制御部１００は、後述する安定位置検出処理を実行する。
【００３１】
制御部１００は、１０ｍｓ以上のオフを検出した場合（ｔ５）、最初のオフを検出してから８ｓ経過したか否かを判定する（ステップＳ２１）。経過していない場合は、制御部１００は、１０ｍｓ以上のオフを検出（ｔ５）してから２ｓ経過したか否かを判定する（ステップＳ２２）。尚、１０ｍｓ以上のオフを検出してからの経過期間は２ｓに限定されず、例えば３ｓであってもよい。制御部１００は、２ｓ経過期間内に１回以上のオンを検出したか否かを判定する（ステップＳ２３）。検出していない場合は、制御部１００は安定位置検出処理を実行する。
【００３２】
検出した場合は（ｔ６）、制御部１００は１０ｍｓ以上のオフを検出する（ステップＳ３１）。尚、この際においても制御部１００は１０ｍｓ未満のオフは無視する（ｔ７）。制御部１００は、１０ｍｓ以上のオフを検出した場合（ｔ８）、地震が発生していると確定してＬＥＤを５分間点灯する（ｔ９、ｔ１０、ステップＳ３３）。
【００３３】
このように、定期スキャン中にオフを検出し（ｔ２）、１０ｍｓ以上のオフを検出し（ｔ５）、所定期間内に１回以上のオンを検出し（ｔ６）、定期スキャン中にオフが検出されてから所定期間内にオフを検出した場合（ｔ８）に、制御部１００は地震が発生していると確定する。このように、所定期間内に複数回、振動センサ４０のオン、オフの切り替えが検出された場合に地震が発生していると判定するため、誤判定を防止できる。
【００３４】
尚、振動センサ４０の常時駆動中（ｔ４）においては、制御部１００は、振動センサ４０のオン、オフの切り替わりを、外部割り込み機能により検出する。これにより、定期スキャン中では３０ｍｓ周期でしかオン、オフを検出できないが、振動センサ４０の常時駆動中では、オン、オフが切り替わった直後に直ちにオン又はオフを検出できる。また、１０ｍｓ以上のオフを検出するために、制御部１００は、ＣＰＵに内蔵されているタイマ、いわゆるプログラマブルタイマにより１０ｍｓをカウントする。
【００３５】
次に、地震は発生していないと判定される場合の振動センサ４０の状態について説明する。図８Ａ、８Ｂ、９Ａ、９Ｂは、地震は発生していないと判定される場合の振動センサ４０の状態のタイミングチャートである。
【００３６】
図８Ａは、例えば時計１が倒れた場合の振動センサ４０の状態を示している。制御部１００は、定期スキャンの実行中に振動センサ４０のオフを検出し（ｔ１１）、この検出から８ｓ以内に１０ｍｓ以上のオフを検出し（ｔ１２）、１０ｍｓ以上のオフを検出してから２ｓ経過期間中に１回以上のオンを検出しなかった場合（ｔ１３、ステップＳ２３でＮｏ）、安定位置検出処理を実行する。その後、制御部１００は再び定期スキャン（ステップＳ０）を実行する。この場合には、制御部１００は地震は発生していないと判定する。
【００３７】
地震が発生している場合には、１０ｍｓ以上のオフを検出してから２ｓ経過期間中に、振動センサ４０は少なくとも１回オフとなると考えられるからである。このようにして、誤判定が防止される。
【００３８】
図８Ｂに示すように、制御部１００が定期スキャン中にオフを検出し（ｔ２１）、この検出から８ｓ以内に１０ｍｓ以上のオフを検出しなかった場合（ｔ２２、ステップＳ１３でＮｏ、ステップＳ１４でＹｅｓ）、安定位置検出処理を実行する。この場合にも、制御部１００は地震は発生していないと判定する。
【００３９】
図９Ａに示すように、制御部１００が定期スキャン中にオフを検出し（ｔ３１）、この検出から８ｓ以内に１０ｍｓ以上のオフを検出し（ｔ３２）、その後に最初にオフを検出してから８ｓ経過した場合（ステップＳ２１でＹｅｓ）、安定位置検出処理を実行する。
【００４０】
図９Ｂに示すように、制御部１００は、定期スキャン中にオフを検出し（ｔ４１）、この検出から８ｓ以内に１０ｍｓ以上のオフを検出し（ｔ４２）、１０ｍｓ以上のオフを検出してから２ｓ経過期間中に１回以上のオンを検出し（ｔ４３）、２ｓ経過後に１０ｍｓ以上のオフを検出することなく８ｓ経過した場合（ｔ４４、ステップＳ３２でＹｅｓ）、安定位置検出処理を実行する。
【００４１】
図８Ａ、８Ｂ、９Ａ、９Ｂのタイミングチャートに示したように、所定期間継続してオン、オフの切替が検出されない場合には、制御部１００は地震は発生していないと判定する。これにより、例えば時計１が掛けられた壁が、扉の開閉や自動車の通過により振動したような場合に、地震が発生したとの誤判定を防止できる。
【００４２】
次に、制御部１００が実行する安定位置検出処理について説明する。図１０は、制御部１００が実行する安定位置検出処理の一例を示したフローチャートである。図１１は、安定位置検出処理実行時での振動センサ４０の状態のタイムチャートである。安定位置検出処理は、制御部１００が、振動センサ４０が振動していない安定状態での状態をオン又はオフに設定するかを決定するための処理である。図１１においては、当初、安定状態での振動センサ４０の状態はオンであると設定された状態から、安定状態での振動センサ４０の状態はオフであると変更される場合について示している。
【００４３】
図１０に示すように、制御部１００は、壁をたたいたり、扉が開平するときのような突発的な震動を抑制するために１．８５ｓ待機する（ステップＳ４１）。実験の結果、１．８５ｓあれば前記のような突発的な振動は１．８秒程度待てば十分に減衰する。例えば図１１に示すように振動センサ４０のオン、オフが切り替ったとする（ｔ５１）。１．８５ｓ経過後、制御部１００は３０ｍｓのプログラムブルタイマをスタートする（ステップＳ４２）。制御部１００は、３０ｍｓ経過したか否かを判定する（ステップＳ４３）。３０ｍｓ経過した場合は、制御部１００は、３０ｍｓ経過時でのセンサのオン、オフの状態を制御部１００のＲＡＭに保存する（ステップＳ４４）。次に、制御部１００は、このような振動センサ４０の状態のチェックが５回行なわれたか否かを判定する（ステップＳ４５）。振動センサ４０の状態のチェックが５回未満の場合には、制御部１００は、５回の振動センサ４０の状態のチェックが終了するまで再度ステップＳ４３、Ｓ４４を実行する。振動センサ４０の状態のチェックが５回終了すると、制御部１００は、５回のチェックが全てオフであるか否かを判定する（ステップＳ４６）。
【００４４】
５回のチェックが全てオフの場合には、制御部１００は、振動していない安定状態での振動センサ４０の状態はオフであると設定する（ステップＳ４７、ｔ５２）。このように、制御部１００は、振動センサ４０がオンからオフへ切り替わって所定期間継続して振動センサ４０がオフであることを検出した場合には、振動していない安定状態での振動センサ４０の状態はオフであると設定する。
【００４５】
ステップＳ４７の処理が実行されると制御部１００は、振動検出処理において、定期スキャン中に振動センサ４０がオフである場合にはステップＳ１１以降の処理は実行せず、定期スキャン中に振動センサ４０がオンとなった場合にはステップＳ１１以降の処理を実行する。このように、振動検出処理実行の可否の基準が、オンからオフへと変更される。この場合、図６に示したフローチャートでのオン、オフの関係は、逆に設定される。
【００４６】
尚、制御部１００が、安定状態での振動センサ４０の状態はオフであると設定した場合には、その後に実行される安定位置検出処理においても、図１０に示したフローチャートでのオン、オフとの関係は逆に設定される。
【００４７】
ステップＳ４６で否定判定の場合、制御部１００は、継続して振動センサ４０の安定状態をオンに設定する（ステップＳ４８）。この場合、振動検出処理実行の可否の基準は、継続してオンに維持される。
【００４８】
安定位置検出処理により、例えば時計１を壁に対して大きく傾斜した状態で掛けたような場合であっても、地震の誤判定を防止できる。
【００４９】
以上本発明の好ましい一実施形態について詳述したが、本発明は係る特定の実施形態に限定されるものではなく、特許請求の範囲に記載された本発明の要旨の範囲内において、種々の変形・変更が可能である。
【００５０】
上記実施例においては、地震の発生に応じてＬＥＤ５０が点灯するが、これに限定されず、例えば、白熱電球や蛍光灯を点灯させてもよい。また、音を出力するなどしてもよい。
【００５１】
また、上記実施例における検出条件、例えば定期スキャン周期（ｔ１）や、タイムアウト時間、パルス幅（ｔ５、ｔ８）などは、実施例中に記載した条件に限られず、特許請求の範囲に記載された本発明の要旨の範囲内において、種々の変更が可能である。
【符号の説明】
【００５２】
１  時計
４０  センサ（振動センサ）
４１  ケース
４３  支持部
４５  感振体
４７  スイッチ
４８  操作体
４９ａ、４９ｂ  導通片
５０  ＬＥＤ
１００  制御部
【図１】
2011080786.tif 000003
【図２】
2011080786.tif 000004
【図３】
2011080786.tif 000005
【図４】
2011080786.tif 000006
【図５】
2011080786.tif 000007
【図６】
2011080786.tif 000008
【図７】
2011080786.tif 000009
【図８】
2011080786.tif 000010
【図９】
2011080786.tif 000011
【図１０】
2011080786.tif 000012
【図１１】
2011080786.tif 000013